【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
第１のクライアントシステムによりトランザクションを実行する方法であって、
（ａ）前記第１のクライアントシステムが第１のサーバシステムと識別可能な接続関係を確立し、この確立においては：
（１）前記第１のクライアントシステムと前記第１のサーバシステムとの間の電子接続を介し、
（２）前記第１のクライアントシステム上のコンピュータソフトウェアアプリケーションを使用し、
（３）前記第１のクライアントシステム上のコンピュータソフトウェアアプリケーションのインストールに関連する一意の識別子を使用し、
（４）前記コンピュータソフトウェアアプリケーションは、前記コンピュータソフトウェアアプリケーションのユーザに従って更に明示的に識別され、
（５）前記第１のサーバシステムに一意の識別子を状態情報として通信し、
（６）前記電子接続自体からであり、
（７）前記第１のサーバシステムが前記一意の識別子を通信する唯一のサーバシステムであることを、要求しない、
（８）前記一意の識別子を前記第１のサーバシステムに通信するのと同じ方法で行い、
（ｂ）前記第１のサーバシステムが、前記第１のクライアントシステムにメディアコンテンツを送信することと、
（ｃ）前記メディアコンテンツが複数のダイレクトアクション機能を含むことと、
（ｄ）１つのこのようなダイレクトアクション機能との対話により、前記コンピュータソフトウェアアプリケーションの前記ユーザが前記トランザクションを開始することと、
（ｅ）前記コンピュータソフトウェアアプリケーションの前記ユーザが、前記トランザクションの前記実行を認証するために前記ダイレクトアクション機能のターゲットにより要求される任意の追加情報を提供することと、
（ｆ）前記ダイレクトアクション機能の前記ターゲットが、前記トランザクションの実行を指示することと
を含む、方法。
【請求項２】
前記ダイレクトアクション機能のうちの少なくとも１つを前記クライアントシステムの即座に知覚可能な部分に提示することをさらに含む、請求項１に記載の方法。
【請求項３】
前記第１のサーバシステムが、前記コンピュータソフトウェアアプリケーションの前記ユーザに、前記第１のサーバシステムから利用可能な新しいメディアコンテンツがあることを通知することをさらに含む、請求項１に記載の方法。
【請求項４】
前記コンピュータソフトウェアアプリケーションの複数のユーザについての情報を、前記ユーザによる将来の複数のトランザクションを認証する際に使用するために記憶することをさらに含む、請求項１に記載の方法。
【請求項５】
前記ダイレクトアクション機能の前記ターゲットは、前記第１のサーバシステムと異なるビジネスエンティティを表す第２のサーバシステムである、請求項１に記載の方法。
【請求項６】
前記第１のサーバシステムが、前記第１のサーバシステムと異なるビジネスエンティティを表す第２のサーバシステムに代わって前記トランザクションのいくつかの部分を実行することをさらに含む、請求項１に記載の方法。
【請求項７】
（ａ）前記第１のサーバシステムからの前記メディアコンテンツが、複数の第１のクライアントシステムのピアツーピアネットワークを通して配信されることと、
（ｂ）前記ピアツーピアネットワークが、前記第１のサーバシステムの制御下で調整されることと
をさらに含む、請求項１に記載の方法。
【請求項８】
（ａ）前記メディアコンテンツはストリーミングメディアコンテンツであり、
（ｂ）前記複数のダイレクトアクション機能と前記ストリーミングメディアコンテンツの主題とを経時的に調整することと、
（ｃ）前記コンピュータソフトウェアアプリケーションのユーザの介入を要求することなく、前記メディアコンテンツを繰返し送信すること
をさらに含む、請求項１に記載の方法。
【請求項９】
（ａ）前記トランザクションは、前記第１のクライアントシステムがメッセージを複数の第２のクライアントシステムに送信するトランザクションであり、
（ｂ）前記第１のクライアントシステムの同意を得て、前記第１のクライアントシステムのコンピュータリソースを、これらメッセージを送信するソースとして使用すること
をさらに含む、請求項１に記載の方法。
【請求項１０】
前記トランザクションの最終的な遂行は、特に、前記第１のクライアントシステムにメディアコンテンツを配信する以外の何等かの手段により実行される、請求項１に記載の方法。
【請求項１１】
第１のクライアントシステムによりトランザクションを実行するシステムであって、
（ａ）電子ネットワーク上でデータを送受信するための接続を有する第１のサーバシステムと、
（ｂ）前記電子ネットワークに接続され、前記第１のサーバシステムと識別可能な接続関係を確立する手段を有する第１のクライアントシステムとを備え、
前記第１のクライアントシステムにおいては、
（１）前記第１のクライアントシステム上のコンピュータソフトウェアアプリケーションを使用し、
（２）前記第１のクライアントシステム上のコンピュータソフトウェアアプリケーションのインストールに関連する一意の識別子を使用し、
（３）前記コンピュータソフトウェアアプリケーションは、前記コンピュータソフトウェアアプリケーションのユーザに従って更に明示的に識別され、
（４）前記第１のサーバシステムに一意の識別子を状態情報として通信し、
（５）前記電子接続自体からであり、
（６）前記第１のサーバシステムが前記一意の識別子を通信する唯一のサーバシステムであることを、要求しない、
（７）前記一意の識別子を前記第１のサーバシステムに通信するのと同じ方法で行い、
第１のクライアントシステムによりトランザクションを実行する前記システムは更に、
（ｃ）前記第１のサーバシステムが、前記第１のクライアントシステムにメディアコンテンツを送信する手段と、
（ｄ）前記メディアコンテンツに含まれる複数のダイレクトアクション機能と、
（ｅ）前記コンピュータソフトウェアアプリケーションのユーザが１つのこのようなダイレクトアクション機能と対話して、前記トランザクションを開始するための手段と、
（ｆ）前記ダイレクトアクション機能のターゲットサーバシステムと、
（ｇ）前記コンピュータソフトウェアアプリケーションのユーザが、前記トランザクションの実行を認証するために前記ターゲットサーバシステムにより要求される任意の追加情報を提供するための手段と、
（ｈ）前記ターゲットサーバシステムが前記トランザクションの実行を指示するための手段と
を備える、システム。
【請求項１２】
前記ダイレクトアクション機能のうちの少なくとも１つを前記第１のクライアントシステムの即座に知覚可能な部分に提示する手段をさらに備える、請求項１１に記載のシステム。
【請求項１３】
前記第１のサーバシステムが、前記コンピュータソフトウェアアプリケーションの前記ユーザに、前記第１のサーバシステムから利用可能な新しいメディアコンテンツがあることを通知する手段をさらに備える、請求項１１に記載のシステム。
【請求項１４】
前記コンピュータソフトウェアアプリケーションの複数のユーザについての情報を、前記ユーザによる将来の複数のトランザクションを認証する際に使用するために記憶する手段をさらに備える、請求項１１に記載のシステム。
【請求項１５】
前記ダイレクトアクション機能の前記ターゲットサーバシステムは、前記第１のサーバシステムと異なるビジネスエンティティを表す、請求項１１に記載のシステム。
【請求項１６】
（ａ）前記第１のサーバシステムと異なるビジネスエンティティを表すアフィリエイトサーバシステムと、
（ｂ）前記ターゲットサーバシステムが、前記アフィリエイトサーバシステムに代わって前記トランザクションのいくつかの部分を実行するための手段と
をさらに備える、請求項１１に記載のシステム。
【請求項１７】
（ａ）複数の第１のクライアントシステムのピアツーピアネットワークと、
（ｂ）前記第１のサーバシステムが前記第１のサーバシステムの制御下で前記ピアツーピアネットワークを調整するための手段と、
（ｃ）前記ピアツーピアネットワークが前記メディアコンテンツを前記第１のサーバシステムから配信するための手段と
をさらに備える、請求項１１に記載のシステム。
【請求項１８】
（ａ）前記メディアコンテンツはストリーミングメディアコンテンツであり、
（ｂ）前記複数のダイレクトアクション機能と前記ストリーミングメディアコンテンツの主題とを経時的に調整する手段と、
（ｃ）前記コンピュータソフトウェアアプリケーションのユーザの介入を要求することなく、前記メディアコンテンツを繰返し送信すること
をさらに備える、請求項１１に記載のシステム。
【請求項１９】
（ａ）前記トランザクションは、前記第１のクライアントシステムがメッセージを複数の第２のクライアントシステムに送信するトランザクションであり、
（ｂ）前記第１のクライアントシステムの同意を得て、前記第１のクライアントシステムのコンピュータリソースを、これらメッセージを送信するソースとして使用すること
をさらに含む、請求項１１に記載のシステム。
【請求項２０】
前記トランザクションの最終的な遂行は、特に、前記第１のクライアントシステムにメディアコンテンツを配信する以外の何等かの手段により実行される、請求項１１に記載のシステム。